(57)【要約】【課題】風雨の侵入と、フード部の通気抵抗および雨水の滴下音を低減できる外壁端末換気口を提供することを目的とする。【解決手段】筒状部１の外方で外壁面側に設けられるベース部２の前面を囲む形状で上下に開口部３を形成したフード部４と、このフード部４の内部に設けられる整流板５とを備え、整流板５をベース部２の上端部６からフード部４の内壁７に向かい下降する形状で、下端部８が筒状部１の中心線９より下方で、フード部４の内壁との間に第１の隙間１０を形成することにより、風雨の侵入とフード部４の通気抵抗および雨水の滴下音を低減できる外壁端末換気口を得られる。【選択図】図１
2008089264.tif 000002
【特許請求の範囲】
【請求項１】
ダクトに接続される筒状部と、この筒状部の外方で外壁面側に設けられるベース部と、このベース部の前面を囲む形状で上下に開口部を形成したフード部と、このフード部の内部に設けられる整流板とを備え、前記整流板を前記ベース部の上端部から前記フード部の前方側内面に向かい下降する形状で下端部が前記筒状部の中心より下方で、フード部の前方側内面との間に第１の隙間を形成するように構成した外壁端末換気口。
【請求項２】
整流板のベース部側の起点部を、ベース部の上端部から筒状部の内壁との間に形成した請求項１記載の外壁端末換気口。
【請求項３】
整流板を円弧形状に湾曲して形成した請求項１または２記載の外壁端末換気口。
【請求項４】
フード部の断面を略半円筒状に形成し、整流板とフード部との第１の隙間を、ベース部の近傍において小さくなるように構成した請求項１〜３のいずれかに記載の外壁端末換気口。
【請求項５】
整流板に、起点部から下端部に向かい複数のリブを形成した請求項１〜４のいずれかに記載の外壁端末換気口。
【請求項６】
整流板の起点部から下端部に向かう両サイドに、立ち上がった第１のフランジ部を設けた請求項１〜５のいずれかに記載の外壁端末換気口。
【請求項７】
整流板の下端部にフード部の内壁近傍に延出する形状で両サイドに第１のフランジ部と連結される第２のフランジ部を設けた傾斜延長部を形成した請求項１〜６のいずれかに記載の外壁端末換気口。
【請求項８】
整流板の傾斜延長部に下方に向いた傾斜片を設けた傾斜開口部を形成した請求項１〜７のいずれかに記載の外壁端末換気口。
【請求項９】
整流板の傾斜延長部に設けられる第２のフランジ部を、フード部の内壁との間に第２の隙間が形成されるように請求項１〜８のいずれかに記載の外壁端末換気口。
【請求項１０】
フード部の上下端部に折り返し部を設けた請求項１〜９のいずれかに記載の外壁端末換気口。
【請求項１１】
フード部の上端部分を傾斜した請求項１〜１０のいずれかに記載の外壁端末換気口。
【請求項１２】
フード部の上端部分に内側に向かう複数の曲げフランジ部を設けた請求項１〜１１のいずれかに記載の外壁端末換気口。
【請求項１３】
フード部の上端部分に設けられる折り返し部に内側に向かう複数の曲げフランジ部を設けた請求項１〜１２のいずれかに記載の外壁端末換気口。
【請求項１４】
フード部の上端部分に対候性を有する軟質材を設けた請求項１〜１３のいずれかに記載の外壁端末換気口。
【請求項１５】
筒状部の設けられるベース部に格子状のガラリまたは網状のネットを設けた請求項１〜１４のいずれかに記載の外壁端末換気口。
【請求項１６】
フード部の下部開口に格子状のガラリまたは網状のネットを設けた請求項１〜１５のいずれかに記載の外壁端末換気口。
【請求項１７】
フード部の上部開口に格子状のガラリまたは網状のネットを設けた請求項１〜１６のいずれかに記載の外壁端末換気口。
【発明の詳細な説明】
【技術分野】
【０００１】
室内に設けた換気装置と連通するダクトの端部に接続される形状で外壁に設けられる外壁端末換気口に関する。
【背景技術】
【０００２】
従来、この種の外壁端末換気口の一例として換気用通風機が知られている（例えば、特許文献１参照）。
【０００３】
以下、その換気用通風機について図３０および図３１を参照にしながら説明する。
【０００４】
図に示すように、壁に取り付けられる開口１０１を有する通気筒１０２と、この通気筒１０２の一端に固着され、開口１０１から外方へ多角形状に傾斜して形成され、開口１０１の中心より上方を覆うフード１０３と、通気筒１０２の一端の開口１０１に設けられるフード１０３から所定間隔をおいてフード１０３を周回して囲むように設けられるカバー１０４を設け構成している。
【特許文献１】特許第２６００３８１号公報（第２項、第１図、第３図）
【発明の開示】
【発明が解決しようとする課題】
【０００５】
このような従来の換気用通風機では、フード１０３は通気筒１０２の中心より上方の部分しか覆わないためにカバー１０４の下方から侵入する雨水がフード１０３により遮蔽される効果が低く、通気筒１０２内に侵入しやすいという課題があり、通気筒１０２内に雨水が侵入するのを緩和することが要求されている。
【０００６】
また、室内の換気装置からダクトを介し通気筒１０２内に送られてきた排気流がフード１０３で受け、外周を囲うカバー１０４の内壁まで届き、乱流を生じ易く、通気抵抗も大きくなるという課題があり、通気抵抗を少なくすることが要求されている。
【０００７】
また、開口１０１の中心より上方でフード１０３を傾斜して設けるために、その傾斜が制限され、傾斜が小さい場合にはカバー１０４からの雨水がフード１０３に衝突するときに生じる滴下音が大きくなるという課題があり、雨水の滴下音を低減することが要求されている。
【０００８】
本発明は、このような従来の課題を解決するものであり、少ない構成部品で風雨の侵入と、フード部の通気抵抗および雨水の滴下音を低減し、経済的で信頼性を向上できる外壁端末換気口を提供することを目的としている。
【課題を解決するための手段】
【０００９】
本発明の外壁端末換気口は上記目的を達成するために、ダクトに接続される筒状部と、この筒状部の外方で外壁面側に設けられるベース部と、このベース部の前面を囲む形状で上下に開口部を形成したフード部と、このフード部の内部に設けられる整流板とを備え、前記整流板を前記ベース部の上端部から前記フード部の前方側内面に向かい下降する形状で下端部が前記筒状部の中心より下方で、フード部の前方側内面との間に第１の隙間を形成するように構成したものである。
【００１０】
この手段により、筒状部内への風雨の侵入と、フード部の通気抵抗と雨水の滴下音を大幅に低減し、経済的で信頼性の高い外壁端末換気口が得られる。
【００１１】
また、他の手段は、整流板のベース部側の起点部を、ベース部の上端部から筒状部の内壁との間に形成したものである。
【００１２】
この手段により、整流板の小型化と低コストが実現できる外壁端末換気口が得られる。
【００１３】
また、他の手段は、整流板を円弧形状に湾曲して形成したものである。
【００１４】
この手段により、より低圧損化を図ることができる外壁端末換気口が得られる。
【００１５】
また、他の手段は、フード部の断面を略半円筒状に形成し、整流板とフード部との第１の隙間を、ベース部の近傍において小さくなるように構成したものである。
【００１６】
この手段により、筒状部内への風雨の侵入をより防止できる外壁端末換気口が得られる。
【００１７】
また、他の手段は、整流板に、起点部から下端部に向かい複数のリブを形成したものである。
【００１８】
この手段により、雨滴による騒音と筒状部内への雨水の侵入を低減することができる外壁端末換気口が得られる。
【００１９】
また、他の手段は、整流板の起点部から下端部に向かう両サイドに立ち上がった第１のフランジ部を設けたものである。
【００２０】
この手段により、雨滴による騒音と筒状部内への雨水の侵入を低減することができる外壁端末換気口が得られる。
【００２１】
また、他の手段は、整流板の下端部にフード部の内壁近傍に延出する形状で両サイドに第１のフランジと連結される第２のフランジを設けた傾斜延長部を形成したものである。
【００２２】
この手段により、雨滴による騒音と、筒状部内への雨水の侵入を低減することができる外壁端末換気口が得られる。
【００２３】
また、他の手段は、傾斜延長部に下方に向いた傾斜片を設けた傾斜開口部を形成したものである。
【００２４】
この手段により、筒状部内への雨水の侵入がより軽減できる外壁端末換気口が得られる。
【００２５】
また、他の手段は、傾斜延長部に設けられる第２のフランジを、フード部の前方側内面との間に第２の隙間が形成されるように設けたものである。
【００２６】
この手段により、筒状部内への雨水の侵入がより軽減できる外壁端末換気口が得られる。
【００２７】
また、他の手段は、フード部の上下端部に折り返し部を設けたものである。
【００２８】
この手段により、安全性が高められるとともに、強度も向上できる外壁端末換気口が得られる。
【００２９】
また、他の手段は、フード部の上端部を傾斜したものである。
【００３０】
この手段より、鳥着地による糞害を軽減できる外壁端末換気口が得られる。
【００３１】
また、他の手段は、フード部の上端部分に内側に向かう複数の曲げフランジを設けたものである。
【００３２】
この手段により、鳥着地による糞害をより軽減できる外壁端末換気口が得られる。
【００３３】
また、他の手段は、フード部の上端部に設けられる折り返し部に内側に向かう複数の曲げフランジを設けたものである。
【００３４】
この手段により、安全性が高められるとともに、鳥着地による糞害を軽減できる外壁端末換気口が得られる。
【００３５】
また、他の手段はフード部の上端部に対候性を有する軟質材を設けたものである。
【００３６】
この手段により、鳥着地による糞害がより軽減できる外壁端末換気口が得られる。
【００３７】
また、他の手段は、筒状部の設けられるベース部に格子状のガラリまたは網状のネットを設けたものである。
【００３８】
この手段により、筒状部内への異物の侵入が防止できるとともに、雨水の侵入を低減できる外壁端末換気口が得られる。
【００３９】
また、他の手段は、フード部の下部開口に格子状のガラリまたは網状のネットを設けたものである。
【００４０】
この手段により、異物の侵入が防止できるとともに、雨水の侵入を低減できる外壁端末換気口が得られる。
【００４１】
また、他の手段は、フード部の上部開口に格子状のガラリまたは網状のネットを設けたものである。
【００４２】
この手段により、フード部内への異物の侵入を防止できる外壁端末換気口が得られる。
【発明の効果】
【００４３】
本発明によれば、少ない構成部品で風雨の侵入とフード部の通気抵抗と雨水滴下音を大幅に低減し、経済的で信頼性の高い効果のある外壁端末換気口を提供できる。
【００４４】
また、整流板の小型化と低コストが実現できるという効果のある外壁端末換気口を提供できる。
【００４５】
また、低圧損化を図ることのできるという効果のある外壁端末換気口を提供できる。
【００４６】
また、筒状部内への風雨の侵入をより防止できるという効果のある外壁端末換気口を提供できる。
【００４７】
また、安全性が高められるとともに、強度も向上できるという効果のある外壁端末換気口を提供できる。
【００４８】
また、鳥着地による糞害を軽減できるという効果のある外壁端末換気口を提供できる。
【００４９】
また、筒状部内への異物の侵入を防止できるという効果のある外壁端末換気口を提供できる。
【発明を実施するための最良の形態】
【００５０】
本発明の請求項１記載の外壁端末換気口は、ダクトに接続される筒状部と、この筒状部の外方で外壁面側に設けられるベース部と、このベース部の前面を囲む形状で上下に開口部を形成したフード部と、このフード部の上端部から前記フード部の前方側内面に向かい下降する形状で下端部が前記筒状部の中心より下方で、フード部の前方側内面との間に第１の隙間を形成するように構成したものであり、フード部の前方からの風雨を筒状部に侵入するのを防ぎ、整流板が上方からの風雨が筒状部に侵入するのを防ぐとともに、下方からの風雨を上方へバイパスさせて筒状部内への侵入を緩和し、かつ、整流板を筒状部の中心より下側まで傾斜延長することでベース部下方からの雨水が筒状部を覆う面積が大きくなった整流板により遮蔽されやすくなり、筒状部内への進入が低減され、かつ、整流板を筒状部の中心より下側まで傾斜延長することで室内からの排気流をフード部内壁に衝突することで生じる乱流を効率よく整流することが可能となり低圧損化を実現でき、かつ、整流板の傾斜角度を大きくとることができるので上方からの雨水の滴下による騒音も軽減できるという作用を有する。
【００５１】
また、整流板のベース部側の起点部を、ベース部の上端部から筒状部の内壁との間に形成したものであり、室内から筒状部を介して排出される排気流が、整流板上部で乱流となるのを低減できるとともに、整流板がベース部上端から延長するよりも、整流板の起点位置が下がって形成されるので、整流板の小型化と低コストが実現できるという作用を有する。
【００５２】
また、整流板を円弧形状に湾曲して形成したものであり、円弧形状に湾曲した形状により、筒状部からの排気流がよりスムーズに整流され、より低圧損化を図ることができるとともに、上方からの雨水の滴下による騒音もより軽減できる作用を有する。
【００５３】
また、フード部の断面を略半円筒状に形成し、整流板とフード部との第１の隙間を、ベース部の近傍において小さくなるように構成したものであり、フード部上方から筒状部内への死角が大きくなることで、筒状部内への風雨の侵入をより防止できるという作用を有する。
【００５４】
また、整流板に起点部から下端部に向かい複数のリブを形成したものであり、整流板がリブにより補強されるため整流板で受ける上方からの雨水の滴下による騒音がより低減されるとともに、リブの方向が整流板の傾斜方向と同じであるため、雨水の流れを妨げずに効率良く下方に流し落とすことができ、雨水が整流板の筒状部側に回り込んで筒状部内に侵入するのを低減できるという作用を有する。
【００５５】
また、整流板の起点部から下端部に向かう両サイドに立ち上がった第１のフランジ部を設けたものであり、整流板が第１のフランジにより補強されるため、整流板で受ける上方からの雨水の滴下による騒音がより軽減できるとともに、第１のフランジにより整流板下端近傍まで、雨水を筒状部に回り込むことなく集約させることができ整流板下端より大粒のまとまった川状の雨水となって落ちるため、フード部下方からの風雨の巻き込みにより筒状部内への雨水の侵入がより軽減できるという作用を有する。
【００５６】
また、整流板の下端部にフード部の内壁近傍に延出する形状で、両サイドに第１のフランジと連結される第２のフランジを設けた傾斜延長部を形成したものであり、雨水を第１のフランジおよび第２のフランジにより整流板起点近傍から、筒状部側に回り込むことなくフード部内壁まで集約させることができ、筒状部開口から最長距離を確保できるフード部の内壁に沿って流れ落ちるため、よりフード部の下方からの外風影響が受けにくくなり、筒状部内への雨水の侵入がより軽減できるという作用を有する。
【００５７】
また、傾斜延長部に下方に向いた傾斜片を設けた傾斜開口部を形成したものであり、整流板状で受け、集約された雨水が筒状部開口から最長距離を確保できるフード部の内壁に沿って効率良く流れ落ちるため、よりフード部下方からの外風の影響が受けにくくなり、筒状部内への雨水の侵入をより軽減できるという作用を有する。
【００５８】
また、傾斜延長部に設けられる第２のフランジをフード部の前方側内面との間に第２の隙間が形成されるように設けたものであり、整流板状で受け集約された雨水が筒状部開口から最長距離を確保できるフード部の内壁に沿って効率良く流れ落ちるため、よりフード部下方からの外風の影響が受けにくくなり、筒状部内への雨水侵入がより軽減できるという作用を有する。
【００５９】
また、フード部の上下端部に折り返し部を設けたものであり、フード部の上下端部が切放しのままであると、フード部の組立または施工時に怪我の危険性が大きいが、折り返して密着させることで丸みが形成され怪我の危険性が軽減できるとともに、フード部形状も成形し易くなり、強度を向上できるという作用を有する。
【００６０】
また、フード部の上端部分を傾斜したものであり、フード部の上端部分が傾斜しているので、野鳥がもし着地しても鳥自身が安定しにくいため、鳥着地による糞害が軽減できるという作用を有する。
【００６１】
また、フード部の上端部分に内側に向かう複数の曲げフランジ部を設けたものであり、フード部の上端部分のみにベース部側に向けて一定の間隔をおいて凸部を形成するように曲げフランジ部を形成したことで、鳥がフード部の上部に向けて飛来し、着地後、反壁面側に反転する場合に、足を引掛けやすくなり、鳥の休憩足場となりづらくなることで、鳥着地による糞害がより軽減できるという作用を有する。
【００６２】
また、フード部の上端部分に設けられる折り返し部に内側に向かう複数の曲げフランジ部を設けたものであり、フード部の折り返して密着させフード部端部に丸みを形成し、折返した端部からベース部側に向けて一定の間隔をおいて凸部を形成したことで、フード部の組立または施工時に怪我の危険性が軽減でき、フード部の形状も安定して良くなり強度も向上できるとともに、鳥がフード部の上部に向けて飛来し、着地後、反壁面側に体を反転する場合に、足を引掛けやすくなり、鳥の休憩足場となりづらくなることで、鳥着地による糞害がより軽減できるという作用を有する。
【００６３】
また、フード部の上端部に対候性を有する軟質材を設けたものであり、フード部の上端部に鳥が着地しようとしても、フード部の上端部が軟質材で形成されているので、鳥自身の自重で軟質材が変形し、バランスを維持できなくなるために鳥の休憩足場となりづらくなって、鳥着地による糞害がより軽減できるという作用を有する。
【００６４】
また、筒状部の設けられるベース部に格子状のガラリまたは網状のネットを設けたものであり、筒状部内への異物の侵入が防止できるとともに、ベース部の下方向からの風雨巻込みによる雨水侵入がガラリまたはネットと干渉することにより低減できるという作用を有する。
【００６５】
また、フード部の下部開口に格子状のガラリまたは網状のネットを設けたものであり、フード部の下部開口において異物の侵入が防止できるとともに、フード部の下方からの風雨の巻込みによる雨水の侵入がガラリまたはネットで干渉されることにより低減できるという作用を有する。
【００６６】
また、フード部の上部開口に格子状のガラリまたは網状のネットを設けたものであり、フード部の上部の凹部を利用して鳥が巣を作るなどして不要物が堆積するのを防止できるとともに、フード部の下部に異物侵入防止のための格子状ガラリまたは網状のネットを合わせて使用することで、フード部と整流板との隙間からの侵入する異物が低減し、隙間から侵入した異物によるフード部の下部側のガラリまたはネットの目詰まりを低減できるという作用を有する。
【００６７】
以下、本発明の実施の形態について図面を参照しながら説明する。
【００６８】
（実施の形態１）
図１〜図３に示すように、室内に設けられた換気装置に連通するダクト（図示せず）に接続された筒状部１とこの筒状部１の外方で外壁面側に設けられるベース部２と、このベース部２の前面を囲む形状で上下に開口部３を形成したフード部４と、このフード部４の内部に設けられる整流板５とを備え、整流板５をベース部２の上端部６からフード部４の前方側の内壁７に向かい下降する形状で下端部８が筒状部１の中心線９より下方でフード部４の内壁７との間に第１の隙間１０を形成するように構成する。
【００６９】
上記構成においては、室内に設けられた換気装置とダクトを介して接続され給排気利用される外壁端末換気口において、フード部４が前方からの風雨を受け止め筒状部１内に侵入するのが防止され整流板５がフード４の上方の開口部３からの風雨を受け止め筒状部１内に侵入するのが防止され、フード部４の下方の開口部３からの風雨は第１の隙間１０を通してバイパスさせ筒状部１内への風雨の侵入が緩和されることとなる。
【００７０】
また、整流板５の下端部８を筒状部１の中心線９より下側にまで傾斜延長することで、フード部４の下方から雨水が筒状部１を覆う面積が大きくなった整流板５により遮蔽されやすくなり、筒状部１内への侵入が低減されるとともに、室内からの排気流がフード部４の前方側の内壁７に衝突することで生じる乱流を効率良く整流することが可能となり、低圧損化が実現できることとなる。
【００７１】
また、整流板５の傾斜角度が大きくとれることにより、フード部４の上方の開口部からの雨水の滴下による騒音も軽減することができることとなる。
【００７２】
このように本発明によれば、ダクトに接続された筒状部１と、この筒状部１の外方で外壁面側に設けられるベース部２と、このベース部２の前面を囲む形状で上下に開口部３を形成したフード部４と、このフード部４の内部に設けられる整流板５とを備え、整流板５をベース部２の上端部からフード部４の前方側の内壁７に向かい下降する形状で、下端部８が筒状部１の中心線９より下方でフード部４の内壁７との間に第１の隙間１０を形成し構成したもので少ない構成部品で筒状部１内への風雨の侵入とフード部４の通気抵抗と雨水の滴下音を大幅に低減し、経済的で信頼性の高い外壁端末換気口が得られる。
【００７３】
（実施の形態２）
図４に示すように、整流板５Ａのベース部２Ａ側の起点部１１をベース部２Ａの上端部６Ａから筒状部１Ａの内径１２との間（ａ）に形成し構成する。
【００７４】
上記構成においては、筒状部１Ａを介して排出される排気流が整流板５Ａの上部で乱流となるのを低減できるとともに、整流板５Ａがベース部２Ａの上端部６Ａを起点とするよりも、下側の位置を起点部１１として形成されているので、整流板５Ａの長さを短くして小型化と低コストを実現できることとなる。
【００７５】
このように、本発明によれば、整流板５Ａのベース部２Ａ側の起点部１１をベース部２Ａの上端部６Ａから筒状部１Ａの内径１２との間（ａ）に形成したので、整流板５Ａの小型化が図れるとともに、信頼性の高い利点を継承し、特により経済性の高い外壁端末換気口が得られる。
【００７６】
（実施の形態３）
図５に示すように、整流板５Ｂを円弧形状に湾曲して形成した構成とする。
【００７７】
上記構成においては、円弧形状に湾曲した整流板５Ｂにより、筒状部１からの排気流がよりスムーズに整流されるため、より低圧損化を図ることができるとともに、フード部４の上方の開口部３からの雨水の滴下による騒音もより軽減できることとなる。
【００７８】
このように本発明によれば、整流板５Ｂを円弧形状に湾曲して形成したので、フード部４内の通気抵抗と雨水の滴下音を大幅に低減できる外壁端末換気口が得られる。
【００７９】
（実施の形態４）
図６に示すように、フード部４Ａの断面形状を略半円筒状に形成し、整流板５Ｃとフード部４Ａとの第１の隙間１０Ａを、ベース部２Ｂの近傍において小さくなるように構成する。
【００８０】
上記構成においては、フード部４Ａの上方から筒状部１内への死角が大きくなることで、筒状部１内への風雨の侵入をより防止できることとなる。
【００８１】
このように本発明によれば、フード部４Ａの断面形状を略半円筒状に形成し、整流板５Ｃとフード部４Ａとの第１の隙間１０Ａを、ベース部２Ｂの近傍において小さくなるように構成したので、特に筒状部１内への雨水の侵入性の低い外壁端末換気口が得られる。
【００８２】
（実施の形態５）
図７〜図９に示すように、整流板５Ｄの起点部１１Ａから下端部８Ａに向かい複数のリブ１３を構成する。
【００８３】
上記構成においては、整流板５Ｄがリブ１３により補強されるため整流板５Ｄで受ける上方からの雨水の滴下による騒音が軽減できるとともに、リブ１３の方向が整流板５Ｄの傾斜方向と同じであるため、雨水の流れを妨げずに効率良く下方向に流し落とすことができ、雨水が整流板５Ｄの筒状部１側に回り込んで筒状部１内に侵入するのを低減することができることとなる。
【００８４】
このように本発明によれば、整流板５Ｄに起点部１１Ａから下端部８Ａに向かい複数のリブ１３を形成したので、雨水の滴下音の低減および雨水の筒状部１内への侵入を低減できる外壁端末換気口が得られる。
【００８５】
（実施の形態６）
図１０および図１１に示すように、整流板５Ｅの起点部１１Ｂから下端部８Ｂに向かう両サイドに立ち上がった第１のフランジ部１４を設けた構成とする。
【００８６】
上記構成においては、整流板５Ｅが両サイドに設けられる第１のフランジ部１４により補強されるため、整流板５Ｅが受ける上方からの雨水の滴下による騒音がより軽減できるとともに、第１のフランジ部１４により整流板５Ｅの下端部８Ｂ近傍まで雨水を筒状部１側に回り込むことなく集約させることができ、整流板５Ｅの下端より大粒のまとまった川状の雨水となって落ちるため、フード部４下方からの風雨の巻き込みにより筒状部１内への雨水の侵入がより軽減できることとなる。
【００８７】
このように本発明によれば、整流板５Ｅの起点部１１Ｂから下端部８Ｂに向かう両サイドに立ち上がった第１のフランジ部１４を設けたもので雨水の滴下による騒音の軽減および筒状部１内への雨水の侵入をより軽減できる外壁端末換気口が得られる。
【００８８】
（実施の形態７）
図１２および図１３に示すように、整流板５Ｆの下端部８Ｃにフード部４Ｂの内壁７Ａ近傍に延出する形状で両サイドに第１のフランジ部１４Ａと連結される第２のフランジ部１５を設けた傾斜延長部１６を設け構成する。
【００８９】
上記構成においては、整流板５Ｆが第１のフランジ部１４Ａと第２のフランジ部１５により補強されるため、整流板５Ｆで受ける上方からの雨水の滴下による騒音が軽減できるとともに、雨水を第１のフランジ部１４Ａおよび第２のフランジ部１５により整流板５Ｆの起点近傍から筒状部１側に回り込むことなく、フード部４の内壁７Ａまで集約させることができるため、筒状部１の開口から最長距離を確保できるフード部４の内壁７Ａに沿って流れ落ちることができ、よりフード部４の下方からの外風の影響が受けにくくなり筒状部１内への雨水の侵入がより軽減できることとなる。
【００９０】
このように本発明によれば、整流板５Ｆの下端部８Ｃにフード部４Ｂの内壁７Ａ近傍に延出する形状で両サイドに第１のフランジ部１４Ａと連結される第２のフランジ部１５を設けた傾斜延長部１６を設けているので、雨水の滴下による騒音の軽減および外風の影響の軽減、筒状部１内への雨水の侵入の軽減を図ることのできる外壁端末換気口が得られる。
【００９１】
（実施の形態８）
図１４および図１５に示すように、整流板５Ｇに設けられる傾斜延長部１６Ａに下方に向いた傾斜片１７を設けた傾斜開口部１８を形成し構成する。
【００９２】
上記構成においては、整流板５Ｇ上で受け集約される雨水が筒状部１の開口から最長距離を確保できるフード部４の内壁７に沿うように傾斜片１７を設けた傾斜開口部１８から効率良く流れ落ちるため、よりフード部４の下方からの外風の影響が受けにくくなり、筒状部１内への雨水の侵入がより軽減できることとなる。
【００９３】
このように本発明によれば、整流板５Ｇに設けられる傾斜延長部１６Ａに下向に向いた傾斜片１７を設けた傾斜開口部１８を形成したので、雨水を筒状部１の開口から最長距離に位置する傾斜開口部１８からフード部４内に放出されることにより筒状部１内への雨水の侵入がより軽減できる外壁端末換気口が得られる。
【００９４】
（実施の形態９）
図１６および図１７に示すように、整流板５Ｈの傾斜延長部１６Ｂに設けられる第２のフランジ部１５Ａをフード部４Ｃの内壁７Ｂとの間に第２の隙間１９が形成されるように設け構成する。
【００９５】
上記構成においては、整流板５Ｈ上で受け集約された雨水が傾斜延長部１６Ｂの端部および第２のフランジ部１５Ａとフード部４Ｃの内壁７Ｂとの間に形成される第２の隙間１９から落下するので、筒状部１から最長距離を確保できるフード部４Ｃの内壁７Ｂに沿って効率良く流れ落ちるため、よりフード部４Ｃの下方からの外風の影響をうけにくくなり、筒状部１内への雨水の侵入がより軽減できることとなる。
【００９６】
このように本発明によれば、整流板５Ｈの傾斜延長部１６Ｂに設けられる第２のフランジ部１５Ａをフード部４Ｃの内壁７Ｂとの間に第２の隙間１９が形成されるように設けているので、整流板５Ｈで受けられた雨水が筒状部１から最長距離のフード部４Ｃの内壁７Ｂに流れるため、筒状部１への雨水の侵入をより軽減できる外壁端末換気口が得られる。
【００９７】
（実施の形態１０）
図１８に示すように、フード部４Ｄの上下の端部に折り返し密着させた折り返し部２０を設け構成する。
【００９８】
上記構成においては、フード部４Ｄの上下の端部が切り放しのままであると、フード部４Ｄの組立または施工時に怪我をする危険性が大きいが、折り返して密着させて折り返し部２０を形成することにより端部は丸みが形成され怪我の危険性が軽減できるとともに、フード部４Ｄの形状も成形しやすくなり強度も向上できることとなる。
【００９９】
このように本発明によれば、フード部４Ｄの上下の端部に折り返し密着させた折り返し部２０を設けたので、フード部４Ｄの組立または施工時における怪我の危険性を低減し、安全性が高められるとともに、フード部４Ｄの成形性と強度向上を図ることが可能となる端末換気口が得られる。
【０１００】
（実施の形態１１）
図１９に示すように、フード部４Ｅの上端部分２１を傾斜し構成する。
【０１０１】
上記構成においては、フード部４Ｅの上端部分２１が傾斜しているので野鳥がもし着地しても鳥自身が安定しにくくなるため、鳥着地による糞害が軽減できることとなる。
【０１０２】
このように本発明によれば、フード部４Ｅの上端部分２１を傾斜したので、鳥着地による糞害が軽減できる外壁端末換気口が得られる。
【０１０３】
（実施の形態１２）
図２０および図２１に示すように、フード部４Ｆの上端部分２１Ａに内側に向かう複数の曲げフランジ部２２を設け構成する。
【０１０４】
上記構成においては、フード部４Ｆの上端部分２１Ａのみ曲げフランジ部２２によりベース部２側に向けて一定の間隔で凸部を形成したことで鳥がフード部４Ｆの上端部分２１Ａに向けて飛来し着地後、反壁面側に体を反転する場合に、足を引っ掛けやすくなり、鳥の休憩足場となりづらくなることで、鳥着地による糞害がより軽減できることとなる。
【０１０５】
このように本発明によれば、フード部４Ｆの上端部分２１Ａに内側に向かう複数の曲げフランジ部２２を設けたので、鳥着地による糞害が軽減できる外壁端末換気口が得られる。
【０１０６】
（実施の形態１３）
図２２に示すように、フード部４Ｇの上端部分２１Ｂに設けられる折り返し部２０Ａに内側に向かう複数の曲げフランジ部２２Ａを設け構成する。
【０１０７】
上記構成においては、フード部４Ｇの上端部分２１Ｂを折り返して密着させた折り返し部２０Ａにより丸みを形成し、折り返した端部からベース部２側に向けて一定の間隔をおいて凸部を形成したことで、フード部４Ｇの形状が安定して良くなり強度も向上できるとともに、鳥がフード部４Ｇの上端部分２１Ｂに向けて飛来し、着地後、反壁面側に体を反転する場合に足を引掛けやすくなり、鳥の休憩足場となりづらくなることで、鳥着地による糞害がより軽減できることとなる。
【０１０８】
このように本発明によれば、フード部４Ｇの上端部分２１Ｂに設けられる折り返し部２０Ａに内側に向かう複数の曲げフランジ部２２Ａを設けたので、フード部４Ｇの組立または施工時における怪我の危険性を低減し、フード部４Ｇの成形性と強度向上が図れるとともに、鳥着地による糞害が軽減できる外壁端末換気口が得られる。
【０１０９】
（実施の形態１４）
図２３に示すように、フード部４Ｈの上端部分２１Ｃにプロロピレンゴム等の対候性を有する軟質材２３を設け構成する。
【０１１０】
上記構成においては、フード部４Ｈの上端部分２１Ｃに鳥が着地しようとしても、鳥自身の自重で軟質材２３が変形し、バランスを維持できなくなるために鳥が着地しようとしても休憩足場となりづらくなり鳥着地による糞害を軽減できることとなる。
【０１１１】
このように本発明によれば、フード部４Ｈの上端部分２１Ｃにプロロピレンゴム等の対候性を有する軟質材２３を設けたので、鳥着地による糞害を軽減できる外壁端末換気口が得られる。
【０１１２】
（実施の形態１５）
図２４および図２５に示すように、筒状部１Ｂの設けられるベース部２Ｃに格子状のガラリ２４または網状のネット２５をねじ２６により取り付け構成する。
【０１１３】
上記構成においては、フード部４の下部の開口において筒状部１Ｂへの異物侵入が防止できるとともに、フード部４の下方向からの風雨の巻き込みによる筒状部１Ｂへの雨水の侵入がガラリ２４またはネット２５と干渉することにより低減できることとなる。
【０１１４】
このように本発明によれば、筒状部１Ｂの設けられるベース部２Ｃに格子状のガラリ２４または網状のネット２５を設けたので、特に異物や風雨の侵入が低減できる外壁端末換気口が得られる。
【０１１５】
（実施の形態１６）
図２６および図２７に示すように、フード部４Ｊの下部開口２７に格子状のガラリ２４Ａまたは網状のネット２５Ａをねじ２６Ａにより取り付け構成する。
【０１１６】
上記構成においては、フード部４Ｊの下部開口２７において異物の侵入が防止できるとともに、フード部４Ｊの下方向からの風雨の巻き込みによる雨水の侵入がガラリ２４Ａまたはネット２５Ａと干渉することでより低減できることとなる。
【０１１７】
このように本発明によれば、フード部４Ｊの下部開口２７に格子状のガラリ２４Ａまたは網状のネット２５Ａを設けたので、特に異物や風雨の侵入が低減できる外壁端末換気口が得られる。
【０１１８】
（実施の形態１７）
図２８および図２９に示すように、フード部４Ｋの上部開口２８に格子状のガラリ２４Ｂまたは網状のネット２５Ｂを設け構成する。
【０１１９】
上記構成においては、フード部４Ｋの上部の凹部を利用して鳥が巣を作るなどして不要物が堆積するのを防止できるとともに、フード部４Ｋの下部開口２７に異物の侵入防止のための格子状のガラリ２４Ａまたは網状のネット２５Ａを合わせて使用することでフード部４Ｋと整流板５Ｂとの隙間から侵入する異物が低減し、隙間から侵入した異物によるフード部４Ｋの下部開口２７に設けられるガラリ２４Ａまたはネット２５Ａの目詰まりを低減できることとなる。
【０１２０】
このように本発明によれば、フード部４Ｋの上部開口２８に格子状のガラリ２４Ｂまたは網状のネット２５Ｂを設けたので、特に異物や風雨の侵入と、フード部４Ｋと整流板５Ｂとの隙間から侵入した異物がフード部４Ｋの下部開口２７に設けられるガラリ２４Ａまたはネット２５Ａ上に堆積することによる目詰まりを低減できる外壁端末換気口が得られる。
【産業上の利用可能性】
【０１２１】
本発明にかかる外壁端末換気口における整流板の取り付け構成は、風雨の侵入とフード部の通気抵抗と雨水の滴下音を大幅に低減する構成によって、空気調和機、熱交換気扇等に組合せて外壁等に取付けられるフードにも適用できる。
【図面の簡単な説明】
【０１２２】
【図１】本発明の実施の形態１の外壁端末換気口の縦断面図
【図２】同外壁端末換気口の平面図
【図３】同外壁端末換気口の斜視図
【図４】本発明の実施の形態２の外壁端末換気口の縦断面図
【図５】本発明の実施の形態３の外壁端末換気口の縦断面図
【図６】本発明の実施の形態４の外壁端末換気口の平面図
【図７】本発明の実施の形態５の外壁端末換気口の縦断面図
【図８】同外壁端末換気口の整流板の斜視図
【図９】同外壁端末換気口のリブの断面図
【図１０】本発明の実施の形態６の外壁端末換気口の縦断面図
【図１１】同外壁端末換気口の整流板の斜視図
【図１２】本発明の実施の形態７の外壁端末換気口の縦断面図
【図１３】同外壁端末換気口の整流板の斜視図
【図１４】本発明の実施の形態８の外壁端末換気口の縦断面図
【図１５】同外壁端末換気口の整流板の斜視図
【図１６】本発明の実施の形態９の外壁端末換気口の縦断面図
【図１７】同外壁端末換気口の整流板の斜視図
【図１８】本発明の実施の形態１０の外壁端末換気口の縦断面図
【図１９】本発明の実施の形態１１の外壁端末換気口の縦断面図
【図２０】本発明の実施の形態１２の外壁端末換気口の縦断面図
【図２１】同外壁端末換気口の曲げフランジ部を示す斜視図
【図２２】本発明の実施の形態１３の外壁端末換気口の縦断面図
【図２３】本発明の実施の形態１４の外壁端末換気口の縦断面図
【図２４】本発明の実施の形態１５の外壁端末換気口の縦断面図
【図２５】同外壁端末換気口の分解斜視図
【図２６】本発明の実施の形態１６の外壁端末換気口の縦断面図
【図２７】同外壁端末換気口の分解斜視図
【図２８】本発明の実施の形態１７の外壁端末換気口の縦断面図
【図２９】同外壁端末換気口の分解斜視図
【図３０】従来の換気用通風路の斜視図
【図３１】同換気用通風路の縦断面図
【符号の説明】
【０１２３】
１      筒状部
１Ａ    筒状部
１Ｂ    筒状部
２      ベース部
２Ａ    ベース部
２Ｂ    ベース部
２Ｃ    ベース部
３      開口部
４      フード部
４Ａ    フード部
４Ｂ    フード部
４Ｃ    フード部
４Ｄ    フード部
４Ｅ    フード部
４Ｆ    フード部
４Ｇ    フード部
４Ｈ    フード部
４Ｊ    フード部
４Ｋ    フード部
５      整流板
５Ａ    整流板
５Ｂ    整流板
５Ｃ    整流板
５Ｄ    整流板
５Ｅ    整流板
５Ｆ    整流板
５Ｇ    整流板
５Ｈ    整流板
６      上端部
６Ａ    上端部
７      内壁
７Ａ    内壁
７Ｂ    内壁
８      下端部
８Ａ    下端部
８Ｂ    下端部
８Ｃ    下端部
９      中心線
１０    第１の隙間
１０Ａ  第１の隙間
１１    起点部
１１Ａ  起点部
１１Ｂ  起点部
１２    内径
１３    リブ
１４    第１のフランジ部
１４Ａ  第１のフランジ部
１５    第２のフランジ部
１５Ａ  第２のフランジ部
１６    傾斜延長部
１６Ａ  傾斜延長部
１６Ｂ  傾斜延長部
１７    傾斜片
１８    傾斜開口部
１９    第２の隙間
２０    折り返し部
２０Ａ  折り返し部
２１    上端部分
２１Ａ  上端部分
２１Ｂ  上端部分
２１Ｃ  上端部分
２２    曲げフランジ部
２２Ａ  曲げフランジ部
２３    軟質材
２４    ガラリ
２４Ａ  ガラリ
２４Ｂ  ガラリ
２５    ネット
２５Ａ  ネット
２５Ｂ  ネット
２７    下部開口
２８    上部開口
【図１】
2008089264.tif 000003
【図２】
2008089264.tif 000004
【図３】
2008089264.tif 000005
【図４】
2008089264.tif 000006
【図５】
2008089264.tif 000007
【図６】
2008089264.tif 000008
【図７】
2008089264.tif 000009
【図８】
2008089264.tif 000010
【図９】
2008089264.tif 000011
【図１０】
2008089264.tif 000012
【図１１】
2008089264.tif 000013
【図１２】
2008089264.tif 000014
【図１３】
2008089264.tif 000015
【図１４】
2008089264.tif 000016
【図１５】
2008089264.tif 000017
【図１６】
2008089264.tif 000018
【図１７】
2008089264.tif 000019
【図１８】
2008089264.tif 000020
【図１９】
2008089264.tif 000021
【図２０】
2008089264.tif 000022
【図２１】
2008089264.tif 000023
【図２２】
2008089264.tif 000024
【図２３】
2008089264.tif 000025
【図２４】
2008089264.tif 000026
【図２５】
2008089264.tif 000027
【図２６】
2008089264.tif 000028
【図２７】
2008089264.tif 000029
【図２８】
2008089264.tif 000030
【図２９】
2008089264.tif 000031
【図３０】
2008089264.tif 000032
【図３１】
2008089264.tif 000033